(57)【特許請求の範囲】
【請求項１】
印刷ジョブを入力する入力手段と、
用紙を積載する複数の用紙積載手段と、
前記用紙積載手段に積載される用紙の特性値を示す第１の特性値情報を前記複数の用紙積載手段の各々について記憶する第１の記憶手段と、
テストページの印刷を実行する際に使用可能な用紙の特性値の範囲を示す第２の特性値情報を記憶する第２の記憶手段と、
前記入力手段により入力された印刷ジョブにおいてテストページの印刷が指定されている場合に、前記第２の特性値情報が示す特性値の範囲内に含まれる特性値の用紙が積載されている用紙積載手段を、前記第１の記憶手段が記憶している前記第１の特性値情報に基づいて前記複数の用紙積載手段の中から特定する特定手段と、
前記入力手段により入力された印刷ジョブにおいてテストページの印刷が指定されている場合に、前記特定手段により特定された用紙積載手段から給紙された用紙を用いてテストページの印刷を実行する印刷手段とを備えることを特徴とする印刷装置。
【請求項２】
前記入力手段により入力された印刷ジョブにおいてテストページの印刷が指定されていない場合に、前記印刷手段は、当該印刷ジョブにおいて指定されている用紙積載手段から給紙された用紙を用いて当該印刷ジョブに基づく印刷を実行することを特徴とする請求項１に記載の印刷装置。
【請求項３】
テストページの印刷を指示する指示画面を表示する表示手段を更に備え、
前記入力手段は、前記指示画面を介してユーザからテストページの印刷が指示された場合に、テストページの印刷が指示されている印刷ジョブを入力することを特徴とする請求項１又は２に記載の印刷装置。
【請求項４】
印刷ジョブを入力する入力手段と、
用紙を積載する複数の用紙積載手段と、
前記用紙積載手段に積載される用紙の特性値を示す第１の特性値情報を前記複数の用紙積載手段の各々について記憶する第１の記憶手段と、
キャリブレーション計測ページの印刷を実行する際に使用可能な用紙の特性値の範囲を示す第２の特性値情報を記憶する第２の記憶手段と、
前記入力手段により入力された印刷ジョブにおいてキャリブレーション計測ページの印刷が指定されている場合に、前記第２の特性値情報が示す特性値の範囲内に含まれる特性値の用紙が積載されている用紙積載手段を、前記第１の記憶手段が記憶している前記第１の特性値情報に基づいて前記複数の用紙積載手段の中から特定する特定手段と、
前記入力手段により入力された印刷ジョブにおいてテキャリブレーション計測ページの印刷が指定されている場合に、前記特定手段により特定された用紙積載手段から給紙された用紙を用いてキャリブレーション計測ページの印刷を実行する印刷手段とを備えることを特徴とする印刷装置。
【請求項５】
前記入力手段により入力された印刷ジョブにおいてキャリブレーション計測ページの印刷が指定されていない場合に、前記印刷手段は、当該印刷ジョブにおいて指定されている用紙積載手段から給紙された用紙を用いて当該印刷ジョブに基づく印刷を実行することを特徴とする請求項４に記載の印刷装置。
【請求項６】
キャリブレーション計測ページの印刷を指示する指示画面を表示する表示手段を更に備え、
前記入力手段は、前記指示画面を介してユーザからキャリブレーション計測ページの印刷が指示された場合に、キャリブレーション計測ページの印刷が指示されている印刷ジョブを入力することを特徴とする請求項４又は５に記載の印刷装置。
【請求項７】
前記入力手段は、外部装置から送信された印刷ジョブを入力することを特徴とする請求項１乃至６のいずれか１項に記載の印刷装置。
【請求項８】
前記特定手段により前記複数の用紙積載手段の何れも特定されない場合に、前記第２の特性値情報が示す特性値の範囲内に含まれる用紙を前記複数の用紙積載手段の何れかに積載するように通知する通知手段を更に備えることを特徴とする請求項１乃至７のいずれか１項に記載の印刷装置。
【請求項９】
前記用紙の特性値は、用紙の単位面積あたりの重量を示す特性値であることを特徴とする請求項１乃至８のいずれか１項に記載の印刷装置。
【請求項１０】
用紙を積載する複数の用紙積載手段と、前記用紙積載手段に積載される用紙の特性値を示す第１の特性値情報を前記複数の用紙積載手段の各々について記憶する第１の記憶手段と、テストページの印刷を実行する際に使用可能な用紙の特性値の範囲を示す第２の特性値情報を記憶する第２の記憶手段とを有する印刷装置の制御方法であって、
印刷ジョブを入力する入力ステップと、
前記入力ステップにより入力された印刷ジョブにおいてテストページの印刷が指定されている場合に、前記第２の特性値情報が示す特性値の範囲内に含まれる特性値の用紙が積載されている用紙積載手段を、前記第１の記憶手段が記憶している前記第１の特性値情報に基づいて前記複数の用紙積載手段の中から特定する特定ステップと、
前記入力ステップにより入力された印刷ジョブにおいてテストページの印刷が指定されている場合に、前記特定ステップにより特定された用紙積載手段から給紙された用紙を用いてテストページの印刷を実行する印刷ステップとを有することを特徴とする印刷装置の制御方法。
【請求項１１】
用紙を積載する複数の用紙積載手段と、前記用紙積載手段に積載される用紙の特性値を示す第１の特性値情報を前記複数の用紙積載手段の各々について記憶する第１の記憶手段と、キャリブレーション計測ページの印刷を実行する際に使用可能な用紙の特性値の範囲を示す第２の特性値情報を記憶する第２の記憶手段とを有する印刷装置の制御方法であって、
印刷ジョブを入力する入力ステップと、
前記入力ステップにより入力された印刷ジョブにおいてキャリブレーション計測ページの印刷が指定されている場合に、前記第２の特性値情報が示す特性値の範囲内に含まれる特性値の用紙が積載されている用紙積載手段を、前記第１の記憶手段が記憶している前記第１の特性値情報に基づいて前記複数の用紙積載手段の中から特定する特定ステップと、
前記入力ステップにより入力された印刷ジョブにおいてキャリブレーション計測ページの印刷が指定されている場合に、前記特定ステップにより特定された用紙積載手段から給紙された用紙を用いてキャリブレーション計測ページの印刷を実行する印刷ステップとを有することを特徴とする印刷装置の制御方法。
【請求項１２】
請求項１０又は１１に記載の印刷装置の制御方法をコンピュータに実行させるためのプログラム。
【発明の詳細な説明】
【技術分野】
【０００１】
本発明は、印刷装置、印刷装置の制御方法及びプログラムに関する。
【背景技術】
【０００２】
印刷装置においては、用紙に印刷処理が正常に実行されるかを確認するためにテストページを印刷処理することがある。また、カラー印刷処理が実行可能な印刷処理にあっては、印刷装置の色再現性を確認するためにキャリブレーション計測ページを印刷処理することがある（例えば、特許文献１参照。）。キャリブレーション計測ページが印刷処理された用紙を計測装置にて計測し、その計測結果に基づいて印刷装置を調整することで印刷装置の色再現性を望ましいものにすることができる。
【先行技術文献】
【特許文献】
【０００３】
【特許文献１】特開２００２−２１８２４３号公報
【発明の開示】
【発明が解決しようとする課題】
【０００４】
ところが、テストページやキャリブレーション計測ページを印刷処理する際には、各ページに望ましい特性の用紙を用いる必要がある。例えば、キャリブレーション計測ページを印刷処理する際には普通紙を用いるのが望ましく、厚紙等の単位面積あたりの重量が大きい用紙を用いるのは望ましくない。なぜなら、キャリブレーション計測ページを厚紙にて印刷処理してしまうと、厚紙を印刷処理するのに適した色再現性となるように印刷装置が調整されてしまうからである。その場合、印刷処理で使用される頻度の高い普通紙を印刷処理する際の色再現性が望ましくないものとなってしまうことがある。
【０００５】
一方、テストページやキャリブレーション計測ページを印刷処理する際に、予め定められた種類の用紙しか使用できないようにすれば印刷処理するのに適しない用紙が用いられることはなくなる。ところが、予め定められた種類の用紙しか使用できないようにすると、その種類の用紙が印刷装置に備えられていない場合に、テストページやキャリブレーション計測ページを印刷処理することができなくなる。
【０００６】
本発明は、上記の問題を鑑みてなされたものであり、特定種類の印刷ジョブに基づく印刷処理を実行する際に、その印刷処理で使用可能な用紙の特性値に対応する特性値の用紙を用いて印刷処理を行うことができる印刷装置及びその制御方法を提供することを目的とする。
【課題を解決するための手段】
【０００７】
上記目的を達成するために、本発明の印刷装置は、印刷ジョブを入力する入力手段と、用紙を積載する複数の用紙積載手段と、前記用紙積載手段に積載される用紙の特性値を示す第１の特性値情報を前記複数の用紙積載手段の各々について記憶する第１の記憶手段と、テストページの印刷を実行する際に使用可能な用紙の特性値の範囲を示す第２の特性値情報を記憶する第２の記憶手段と、前記入力手段により入力された印刷ジョブにおいてテストページの印刷が指定されている場合に、前記第２の特性値情報が示す特性値の範囲内に含まれる特性値の用紙が積載されている用紙積載手段を、前記第１の記憶手段が記憶している前記第１の特性値情報に基づいて前記複数の用紙積載手段の中から特定する特定手段と、前記入力手段により入力された印刷ジョブにおいてテストページの印刷が指定されている場合に、前記特定手段により特定された用紙積載手段から給紙された用紙を用いてテストページの印刷を実行する印刷手段とを備えることを特徴とする。
【０００８】
また、本発明の印刷装置は、印刷ジョブを入力する入力手段と、用紙を積載する複数の用紙積載手段と、前記用紙積載手段に積載される用紙の特性値を示す第１の特性値情報を前記複数の用紙積載手段の各々について記憶する第１の記憶手段と、キャリブレーション計測ページの印刷を実行する際に使用可能な用紙の特性値の範囲を示す第２の特性値情報を記憶する第２の記憶手段と、前記入力手段により入力された印刷ジョブにおいてキャリブレーション計測ページの印刷が指定されている場合に、前記第２の特性値情報が示す特性値の範囲内に含まれる特性値の用紙が積載されている用紙積載手段を、前記第１の記憶手段が記憶している前記第１の特性値情報に基づいて前記複数の用紙積載手段の中から特定する特定手段と、前記入力手段により入力された印刷ジョブにおいてテキャリブレーション計測ページの印刷が指定されている場合に、前記特定手段により特定された用紙積載手段から給紙された用紙を用いてキャリブレーション計測ページの印刷を実行する印刷手段とを備えることを特徴とする。
【発明の効果】
【０００９】
本発明によれば、特定種類の印刷ジョブに基づく印刷処理を実行する際に、その印刷処理で使用可能な用紙の特性値に対応する特性値の用紙を用いて印刷処理を行うことができる印刷装置及びその制御方法を提供するができる。
【図面の簡単な説明】
【００１０】
【図１】製本システムの全体構成を示す図である。
【図２】印刷装置の制御構成を示す図である。
【図３】印刷装置の構成を示す図である。
【図４】操作部の構成を示す図である。
【図５】操作部に表示される操作画面を示す図である。
【図６】プリンタ部２０３の制御構成を示す図である。
【図７】操作部に表示される操作画面を示す図である。
【図８】操作部に表示される操作画面を示す図である。
【図９】Ｔｙｐｅ１の用紙情報を示す図である。
【図１０】Ｔｙｐｅ３の用紙情報を示す図である。
【図１１】Ｔｙｐｅ２の用紙情報を示す図である。
【図１２】操作部に表示される操作画面を示す図である。
【図１３】操作部に表示される操作画面を示す図である。
【図１４】給紙トレイ情報を示す図である。
【図１５】特殊ページの印刷処理の実行を指示する画面を示す図である。
【図１６】テストページの画像データに基づいて印刷処理された画像の一例を示す図    である。
【図１７】印刷装置１０５のＣＰＵ２０５が実行する処理を示すフローチャートであ    る。
【図１８】特殊ページを含む印刷ジョブの特性値範囲情報を示すテーブルである。
【図１９】給紙トレイ情報を示す図である。
【図２０】操作部に表示される操作画面を示す図である。
【図２１】操作部に表示される操作画面を示す図である。
【発明を実施するための形態】
【００１１】
以下に、図面を参照して、この発明の好適な実施の形態を例示的に詳しく説明する。ただし、以下の実施の形態に記載されている構成要素はあくまで例示であり、この発明の範囲をそれらのみに限定する趣旨のものではない。
【００１２】
＜第１実施形態＞
以下、添付の図面を参照して本発明の好適な実施形態を説明する。
【００１３】
＜製本システムの全体構成＞
図１は、本発明の実施形態に対応する製本システム２０００の全体構成を示す図である。
【００１４】
図１において、１０５は印刷装置であり、画像データに基づいてシートに印刷処理をするとともに、印刷処理されたシートをスタッカ装置１０４へ搬送する。スタッカ装置１０４は、印刷装置１０５から搬送されたシートをスタックトレイ（不図示）に積載する。また、スタッカ装置１０４は、印刷装置１０５から搬送されたシートをスタックトレイに積載することなく、くるみ製本装置１０３へ搬送することもできる。くるみ製本装置１０３は、印刷装置１０５からスタッカ装置１０４を介して搬送される複数のシートＳを集積トレイにシート束として積載する。そして、集積トレイに積載されたシート束をカバーシート積載トレイに積載されたカバーシートでくるむことでくるみ製本物を作成する。
【００１５】
なお、くるみ製本装置１０３は、スタッカ装置１０４から搬送されたシートＳを集積トレイに積載することなく、中綴じ製本装置１０２へ搬送することもできる。中綴じ製本装置１０２は、印刷装置１０５からくるみ製本装置１０３を介して搬送される複数のシートＳからなるシート束Ｓ１に対してステイプル処理を実行することで中綴じ製本物を作成する。なお、中綴じ製本装置１０２にて作成された中綴じ製本物は、断裁装置１０１に搬送され断裁処理が実行される。また、中綴じ製本装置１０２は、印刷装置１０５から搬送されたシート（用紙）を排紙して積載するための排紙積載手段としての排紙トレイ１０６と１０７を有する。
【００１６】
＜印刷装置の制御構成＞
図２は、本発明の実施形態に対応する印刷装置１０５の制御構成を示すブロック図である。
【００１７】
図２において２０１はスキャナ部であり、複数枚の原稿（紙等のシートに画像が印刷されたもの）を光学的に読み取って画像データを生成するとともに、読み取られた画像データに対して画像処理（例えば、シェーディング補正処理）を実行する。そして、スキャナ部２０１は、画像処理が実行された複数ページの画像データを１つの印刷ジョブとしてハードディスク（ＨＤＤ）２０９へ記憶させる。２０２は外部Ｉ／Ｆであり、印刷装置１０５にネットワーク２３２を介して接続された外部装置としてのコンピュータ端末２３３から複数ページの画像データを含む印刷ジョブを受信する。そして、外部Ｉ／Ｆ２０２は、受信した印刷ジョブをハードディスク２０９へ記憶させる。２０３はプリンタ部であり、ハードディスク２０９に記憶された印刷ジョブに基づいて、複数のシート（用紙）に印刷処理を実行する。なお、印刷ジョブは複数ページの画像データから構成されているので、複数の画像データが複数のシートの各々に印刷処理される。２０４は操作部であり、印刷装置１０５の操作者による各種の指示を受け付け、受け付けた指示をメモリコントローラ部２０６へ伝えることで印刷装置１０５に各種の設定を行うものである。
【００１８】
ＣＰＵ２０５は、ＲＯＭ２０７から読み込んだプログラムをＲＡＭ２０８へ書き込み、ＲＡＭ２０８を用いてプログラムを実行することで印刷装置１０５を含む製本システム２０００の全体を制御する。なお、ＲＯＭ２０７には、外部Ｉ／Ｆ２０２が外部装置から印刷ジョブとして受信したＰＤＬ（Ｐａｇｅ  Ｄｅｓｃｒｉｐｔｉｏｎ  ｌａｎｇｕａｇｅ：ページ記述言語）コードデータを解釈するためのプログラムが記憶されている。さらに、ＲＯＭ２０７には、ＰＤＬコードデータを解釈した後にプリント部２０３にて印刷可能なデータを生成するためのプログラムが記憶されている。メモリコントローラ部２０６は、ＲＯＭ２０７、ＲＡＭ２０８、及びハードディスク２０９に対する、各部からのアクセスを制御する。
【００１９】
圧縮伸長部２１０は、ＪＢＩＧやＪＰＥＧ等といった各種圧縮方式によってＲＡＭ２０８、ハードディスク２０９に記憶されている画像データに圧縮処理を実行することができる。また、圧縮伸長部２１０は、各種圧縮方式により圧縮処理された画像データを伸長する伸長処理を実行することができる。
【００２０】
回転部２３１は、ハードディスク２０９に記憶された画像データをプリンタ部２０３へ送信して印刷処理を実行させるにあたって、画像データを回転させる必要がある場合に、回転処理を実行するものである。回転部２３１は、回転処理として、画像データの天地方向を逆転させる１８０°回転処理や、９０°回転処理等の、任意の角度の回転処理を実行することができる。なお、回転部２３１が実行する回転処理の回転角度の設定等は、ＣＰＵ２０５からできるものとする。
【００２１】
オプションＩ／Ｆ２３０は、ＣＰＵ２０５が、印刷装置１０５に接続されるオプション装置としてのスタッカ装置１０４、くるみ製本装置１０３、中綴じ製本装置１０２及び断裁装置１０１と通信するためのインターフェースである。スタッカ装置１０４、くるみ製本装置１０３、中綴じ製本装置１０２及び断裁装置１０１は各々内部の動作を制御するためのＣＰＵ（不図示）を有する。そして、印刷装置１０５のＣＰＵ２０５は、オプションＩ／Ｆ２３０を介して各オプション装置のＣＰＵを制御するための制御コマンドを送信することにより、スタッカ装置１０４、くるみ製本装置１０３、中綴じ製本装置１０２及び断裁装置１０１を制御する。
【００２２】
＜印刷装置の構成＞
次に、印刷装置１０５の構成について、図３を用いて説明する。
【００２３】
印刷装置１０５は、大きく分けてスキャナ部２０１およびプリンタ部２０３から構成される。スキャナ部２０１は、原稿給送ユニット２５０に積載されたシート束をその積載順に従って先頭（最上部）から順次１枚ずつプラテンガラス２１１上に給送する。そして原稿給送ユニット２５０は、スキャナユニット２２０による読み取り動作が終了した後、排出トレイ２１９に排出する。スキャナユニット２１０は、プラテンガラス２１１上に原稿シートが搬送されると、ランプ２１２を点灯して光学ユニット２１３の移動を開始させ、シート状の原稿を下方から照射しながら走査する。原稿からの反射光が複数のミラー２１４、２１５、２１６およびレンズ２１７を通ってＣＣＤイメージセンサ（以下、ＣＣＤ）２１８に導かれ、走査された原稿上の画像はＣＣＤ２１８によって画像データとして読み取られる。ＣＣＤ２１８で読み取られた画像データは、所定の画像処理が施された後、ハードディスク２０９に記憶される。
【００２４】
プリンタ部２０３は、ハードディスク２０９から読み出される画像データに対応するレーザ光を、レーザドライバ３２１によって駆動されるレーザ発光部３２２から出力する。
レーザ光を照射された感光ドラム３２３にはレーザ光に応じた静電潜像が形成され、現像器３２４は静電潜像の部分に現像剤（例えば、トナー）を付着させる。
【００２５】
一方、レーザ光の照射開始と同期したタイミングで、カセット３１１、カセット３１２、カセット３１３、カセット３１４、手差しトレイ３１５の何れかからシートＳを給紙し、搬送路３３１を経由して転写部３２５まで搬送する。なお、カセット３１１、カセット３１２、カセット３１３、カセット３１４、手差しトレイ３１５は、複数枚の用紙（シート）を積載する用紙積載手段として機能する。ここで、手差しトレイ３１５には、シートＳが載置されたことを検知するシート検知センサ３１５ａが設けられている。転写部３２５は感光ドラム３２３に付着している現像剤をシートＳ上に転写する。現像剤が転写されたシートＳは搬送ベルト３２６によって定着部３２７に搬送され、定着部３２７にて加熱される。それによりシートＳ上の現像剤は、シートＳに定着される。現像剤が定着したシートＳは、搬送路３３５、３３４を経由してスタッカ装置１０４に搬送される。スタッカ装置１０４にシートＳを搬送するにあたってシートＳを反転させてから搬送する場合、ＣＰＵ２０５はシートＳを搬送路３３６、３３８まで導くようプリンタ部２０３を制御する。そしてその後に、シートＳを逆方向に搬送し、搬送路３３７、３３４を経由してスタッカ装置１０４にシートＳを搬送する。
【００２６】
次に、図６を参照しつつ、第１の実施形態におけるプリンタ部２０３の制御構成について説明する。
【００２７】
印刷装置１０５が備えるプリンタ部２０３は、メモリコントローラ部２０６を介してＣＰＵ２０５と相互に通信可能となっている。プリンタ部２０３のＣＰＵ２００３は、メモリコントローラ部２０６から画像データと印刷処理を実行するためのコマンドを受信し、受信した画像データを解析してビットデータに変換するとともに、受信したコマンドの解析を行う。
【００２８】
プリンタ部２０３は、ＣＰＵ２００３により制御される各種制御部を備えている。各種制御部としては、シートＳを搬送するために印刷装置１０５が備える各種ローラの制御をするためのシート搬送制御部２００４、感光ドラム３２３を所定電位に帯電するために帯電ローラに印加する電圧を制御するための帯電制御部２００５がある。また、ＣＰＵ２０３がメモリコントローラ部２０６から受信した画像データに基づいて感光ドラム３２３の表面を露光するレーザの走査を制御するためのレーザ走査制御部２００６を有する。更に、プリンタ部２００３は、感光ドラム３２３の表面に形成された静電潜像を現像すべく現像器３２４を制御するための現像制御部２００７を有する。更に、プリンタ部２０３は、感光ドラム３２３上に形成されたトナー像をシートＳに転写するよう転写部３２５に印加する転写電圧を制御するための転写制御部２００８を有する。また、プリンタ部２０３は、トナー像が転写されたシートＳ上にトナー像を定着させるよう定着部３２７を構成するローラ対の回転及びローラ対の少なくとも一方が有するヒータへの投入電力を制御するための定着制御部２００９を有する。また、プリンタ部２０３は、印刷部２へシートＳを給紙するようカセット３１１、カセット３１２、カセット３１３、カセット３１４が備えるローラの駆動を制御するための給紙装置制御部２０１０を備えている。
【００２９】
＜操作部の構成＞
次に、図４を用いて印刷装置１０５が備える操作部２０４の構成について説明する。
【００３０】
操作部２０４は、各種ハードキー４−２４１〜４−２４６を含むハードキー群４−２４０を備える。また、操作部２０４は、液晶表示装置からなるドットマトリックスで構成される液晶表示部４−２５０を有する。液晶表示部４−２５０は表面にタッチパネルを備えている。操作部２０４は、印刷装置１０５の操作者がキー表示部を押下したことによりキー入力がされたことを検知し、ＣＰＵ２０５へキー入力に応じた信号を送信する。そして、ＣＰＵ２０５は、ＲＯＭ２０７に記憶されたプログラムに基づいて印刷装置１０５を制御し、受信した信号に応じた動作を実行する。
【００３１】
キー４−２４３は電源キーで、電源のＯＮ／ＯＦＦをする為のキーである。キー４−２４４は節電キーで、節電モードにする／節電モードを解除する為のキーである。スタートキー４−２４１は、スキャナ部２０１による原稿上の画像の読み取り動作を開始させる指示等の各種処理をスタートさせる指示を操作者に入力させる為のキーである。ストップキー４−２４２は、印刷装置１０５を含む製本システム２０００により実行中の動作を中止させる指示を操作者に入力させる為のキーである。
【００３２】
また、キー群４−２４５は、コピー枚数、ズーム倍率等を入力させる０〜９までのテンキーとその入力をクリアするためのクリアキーを有する。このキー郡４−２４５で入力されたコピー部数は、液晶表示部４−２５３に表示される。リセットキー４−２４６は、液晶表示部４−２５０やハードキー群４−２４０を介して操作者により設定された設定条件を初期状態に戻すためのキーである。
【００３３】
液晶表示部４−２５０は、ＣＰＵ２０５からの指示により、製本システム２０００の動作状態等を表示する。液晶表示部４−２５０には、タッチキーも表示される。液晶表示部４−２５０において、キー４−２５２は、印刷装置１０５が印刷処理に用いるシートＳ（用紙）が積載されたカセットを選択するキーである。ＣＰＵ２０５は、このキーが操作者により押下されると、液晶表示部４−２５０に図５に示す用紙選択画面を表示するよう操作部２０４を制御する。
【００３４】
図５（ａ）に示す用紙選択画面のキー群４−２７１で印刷処理に用いるカセット（カセット３１１〜３１５のいずれか）が選択される。そして、ＣＰＵ２０５は、閉じるキー４−２７０が操作者により押下されると、この画面は閉じて図４の画面に戻し、選択されたカセットを表示部４−２５１に表示させる。
【００３５】
図４のキー４−２５８、４−２６２は、濃度調整を行うためのキーである。ＣＰＵ２０５は、これらのキーにより調整される濃度を表示部４−２６３に表示させる。キー４−２５９は、自動濃度調整機能をＯＮ／ＯＦＦするためのキーである。キー４−２６１は写真モード／テキストモード等の設定を行うためのキーである。
【００３６】
キー４−２５４，キー４−２５５は、それぞれ等倍，縮小／拡大を設定するためのキーである。キー４−２５５が押下されると、ＣＰＵ２０５は液晶表示部４−２５０に、図５（ｂ）に示す倍率画面を表示させ、拡大縮小を詳細に設定可能にする。図に示す倍率画面のキー群４−２７３で倍率が選択され、閉じるキー４−２７２が操作者により押下されると、ＣＰＵ２０５はこの画面は閉じて図４の画面に戻す。そして、ＣＰＵ２０５は、設定された倍率を表示部４−２５１に表示させる。
【００３７】
キー４−２５７は両面キーで、キー４−２５７が押下されると、ＣＰＵ２０５は液晶表示部４−２５０に、図５（ｃ）に示す両面印刷設定画面を表示させる。以下、両面印刷の設定に関して図５（ｃ）を参照して説明する。
【００３８】
図５（ｃ）において、キー４−２８０は、片面にのみ画像が印刷された原稿（以下、片面原稿）を用いてシートの両面に印刷処理するための設定キーである。そして、キー４−２８１は、両面に画像が印刷された原稿（以下、両面原稿）を用いてシートの両面に印刷処理するための設定キーである。キー４−２８３は、両面原稿をもちいてシートの片面のみに印刷処理するための設定キーである。また、キー４−２８４は、ページ連写両面を行うための設定キーである。
【００３９】
キー４−２８５は、図５（ｃ）の両面印刷設定画面において操作者によりなされた設定を有効にするためのキーである。このキーが押下されると、ＣＰＵ２０５は、図５（ｃ）の両面印刷設定画面での設定を有効にし、液晶表示部４−２５０の表示を図４の画面に戻す。また、キー４−２８２は、図５（ｃ）において行った設定を取り消すためのキーであり、このキーが押下されると、ＣＰＵ２０５は、図５（ｃ）の両面印刷設定画面での設定を無効にし、液晶表示部４−２５０の表示を図４の画面に戻す。
【００４０】
図４の表示画面上のキー４−２５６は、印刷装置１０５が印刷処理した用紙（シート）を製本システム２０００における何れの装置に排紙するかをユーザにより入力可能にする為のキーである。
【００４１】
図７は、給紙カセット（カセット３１１〜３１５のいずれか）に積載するシートＳのサイズを指定するための操作画面である。図７の操作画面は、図５（ａ）にて給紙カセットのいずれか１つ（カセット３１１〜３１５のいずれか）が選択された後に表示される画面である。図７の画面上のキー群７０１は、図５（ａ）にて選択されたシートに積載するシートのサイズを操作者により設定させる為のキーである。例えば、操作者により、図７の画面上の「Ａ４」サイズが押下され「次へ」キーが押下されると、ＣＰＵ２０５は、液晶表示部４−２５０に図８に示す操作画面を表示させる。
【００４２】
図８は、給紙トレイに積載される用紙の種類を設定するための操作部２０４の表示画面を示す図である。
【００４３】
図８において８０１〜８０８のいずれかを押下することにより、用紙種類を設定する。
そして、印刷装置１０５の使用者がキー８０９を押下することで、用紙の種類が確定し、図５（ａ）の操作画面に戻る。
【００４４】
以上のように図５（ａ）にて選択されたカセットに積載される用紙について、図７に示す表示画面を介して用紙サイズが設定され、図８に示す表示画面を介して用紙種類が設定される。そして、ＣＰＵ２０５は、設定された用紙に付与された用紙ＩＤを各々の給紙トレイに対応付けてＨＤＤ２０９に給紙トレイ情報として記憶させる。給紙トレイ情報の一例を示したものが、図１４である。例えば、コンピュータ端末２３３から印刷ジョブを受信して印刷処理を実行する場合に、給紙トレイ（給紙元）のみを指定した印刷ジョブがコンピュータ端末２３３にて生成される場合がある。このような場合、印刷ジョブには給紙トレイを特定する情報が含まれているので、ＣＰＵ２０５は図１４に示される給紙トレイ情報を参照することで、印刷処理で用いる用紙の種類を特定することができる。
【００４５】
次に、ＨＤＤ２０９に記憶される用紙情報について説明する。
【００４６】
印刷装置１０５は、プリンタ部２０３にて印刷処理を実行するにあたって、各種の制御情報を用いて印刷処理を実行する。ここでいう制御情報とは、定着部３２７を加熱する際の温度値や、転写部３２５にて印加する転写電圧値や、用紙をプリンタ部２０３にて搬送させる際の搬送速度値（印刷速度値）等のプリンタ部２０３の各部を制御するための情報をいう。印刷装置１０５は、様々な種類の用紙を用いて印刷処理を実行することが想定されるが、どのような種類の用紙を用いた場合でも一定の印刷結果が得られることが望まれる。そこで、印刷装置１０５は、用紙情報に制御情報をも含ませておくことで、用紙の種類に応じて転写電圧、印刷速度及び定着温度を適切に制御する。
【００４７】
用紙情報について、本実施形態においては、Ｔｙｐｅ１、Ｔｙｐｅ２及びＴｙｐｅ３という３つのタイプの用紙情報が存在する。
【００４８】
まず、用紙情報の１種であるＴｙｐｅ１の用紙情報について説明する。
【００４９】
Ｔｙｐｅ１とは、印刷装置１０５のＨＤＤ２０９に予め（例えば、製造時）記憶されている用紙情報であり、図９に示すようなテーブルとしてＨＤＤ２０９に記憶されている。
図９のテーブルにおいて、ＩＤとは複数種類のＴｙｐｅ１の用紙を識別するための情報であり、印刷装置１０５のＣＰＵ２０５は、このＩＤにより用紙の種類を判別する。用紙名称とは、用紙に与えられた名称を示すものである。また坪量とは、用紙の１ｍ２辺りの重量を示すものであり、表面性とは用紙の表面の材質を示すものである。なお、用紙の坪量と、用紙の材質は、用紙そのものの特性を示す情報であるので、以降の説明では用紙特性情報と呼ぶ。
【００５０】
また、定着温度は定着部３２７を加熱する際の温度値であり、印刷速度はプリンタ部２０３にて印刷処理を実行するにあたって用紙を搬送させる際の搬送速度値である。また、転写電圧は、転写部３２５にて用紙に印加する転写電圧値を示すものである。Ｔｙｐｅ１の用紙情報に含まれる用紙は、印刷装置１０５の操作部２０４から印刷処理に用いる用紙として選択することができる。具体的には、Ｔｙｐｅ１の用紙情報に含まれる用紙は、図８の操作画面にて選択できるようになっている。図９の例では、印刷装置１０５のＨＤＤ２０９にＴｙｐｅ１の用紙として８種類の用紙が登録されている場合を示したが、８種類に限らず任意の種類をＴｙｐｅ１として予め登録しておくようにしても良い。
【００５１】
次に、用紙情報の１種であるＴｙｐｅ３の用紙情報について説明する。
【００５２】
Ｔｙｐｅ３とは、印刷装置１０５のＨＤＤ２０９に予め（例えば、製造時）記憶されている用紙情報であり、この点ではＴｙｐｅ１の用紙情報と同じである。しかし、Ｔｙｐｅ３がＴｙｐｅ１と異なる点は、Ｔｙｐｅ３の用紙情報に含まれる用紙が、印刷装置１０５の印刷処理に用いる用紙として図８の画面にて選択することができない点である。つまり、Ｔｙｐｅ３の用紙情報に含まれる用紙は、印刷装置１０５による印刷処理には用いることができず、後述するＴｙｐｅ２の用紙情報として登録することで、初めて印刷処理に用いることができるようになる。印刷処理に用いる用紙は数千種類のものが市場に存在するが、これら全ての種類の用紙について印刷装置１０５の印刷処理にて用いることができるようにするのは問題がある。具体的には、図８のような操作画面にて、数千種類の用紙の中から所望の用紙を選択するのは困難である。そこで、印刷装置１０５は、Ｔｙｐｅ３の用紙の中から印刷装置１０５の使用者が必要とする種類の用紙だけを印刷処理にて用いることができるようにする。
【００５３】
具体的には、Ｔｙｐｅ３の用紙情報に含まれる用紙を印刷装置１０５による印刷処理に用いることができるようにする場合、印刷装置１０５の使用者は、図８の操作画面において、用紙の登録キー８１０を押下する。ＣＰＵ２０５は、用紙の登録キー８１０が押下されたことに応じて、図１２に示す操作画面を操作部２０４に表示させる。図１２の操作画面においては、Ｔｙｐｅ３に含まれる用紙が選択できる。図１２に示した例では、Ｔｙｐｅ３の中でＩＤが０２３４−００００〜０２４１−００００に相当する８種類の用紙が選択できるように表示されている。この８種類の用紙を特定する部分（１２０１〜１２０８）が押下され、ＯＫキー１２０９が押下されると、図８において選択できる用紙として新たな用紙がＴｙｐｅ２の用紙情報として登録される。このような登録が行われることで、印刷装置１０５が印刷処理に用いることができる用紙が新たに登録（追加）されることとなる。なお、図１２の例では８種類のＴｙｐｅ３に含まれる用紙が選択できるものとしたが、Ｔｙｐｅ３には図１０に示す１０００種類の用紙が含まれる。従って、図１２の画面においては、用紙情報をスクロール表示させることで１０００種類の用紙のいずれかが選択できるものとする。
【００５４】
次に、用紙情報の１種であるＴｙｐｅ２の用紙情報について説明する。
【００５５】
Ｔｙｐｅ２の用紙情報に含まれる用紙とは、Ｔｙｐｅ３に含まれる用紙のうち、図１２の画面を用いた登録処理により新たに印刷装置１０５が印刷処理に使用できるものとなった用紙のことをいう。また、Ｔｙｐｅ１に含まれる用紙を複製して新たにＴｙｐｅ２の用紙として登録することもできる。複製を行う場合は、図８の操作画面にてＴｙｐｅ１に含まれる用紙を選択した状態で、複製キー８１２を押下すればよい。キー８１２を押下すると、Ｔｙｐｅ１の用紙とは別にＴｙｐｅ２の用紙として新たな用紙が追加される。Ｔｙｐｅ２の用紙情報の一例を示したものが図１１である。なお、Ｔｙｐｅ１から複製したＴｙｐｅ２の用紙は、Ｔｙｐｅ１の用紙と同じ用紙情報となるが、用紙名称については重複しないように書き換えられる。なお、Ｔｙｐｅ２に含まれる用紙については、図８にて編集キー８１１を押下することで、用紙の編集をすることが可能である。一例として、図９に示すＴｙｐｅ１の用紙情報の中からＩＤが０００２−００００の用紙情報をＴｙｐｅ２の用紙情報として新たに登録（複製）した場合について説明する。この場合、図８のキー８０２を押下した状態で複製キー８１２を押下することで新規の用紙情報がＴｙｐｅ２に登録（複製）される。そして、Ｔｙｐｅ２として登録された用紙を図８の画面にて選択した後に編集キー８１１を押下すると、図１３の操作画面が操作部２０４に表示される。ここで、印刷装置１０５の操作者は、変更キー１３０１を押下してその後に表示される画面（不図示）にて操作部２０４を用いた文字入力を行うことで、用紙情報のうち用紙名称情報を変更することができる。また、印刷装置１０５の操作者は、変更キー１３０２を押下してその後に表示される画面（不図示）にて操作部２０４を用いた数値入力を行うことで、用紙情報のうち坪量情報を変更することができる。また、印刷装置１０５の操作者は、変更キー１３０３を押下してその後に表示される画面（不図示）にて操作部２０４を用いた選択処理（上質、再生、コートのいずれかの選択処理）を行うことで、用紙情報のうち表面性情報を変更することができる。また、印刷装置１０５の操作者は、変更キー１３０４を押下してその後に表示される画面（不図示）にて操作部２０４を用いた数値入力を行うことで、用紙情報のうち定着温度情報を変更することができる。また、印刷装置１０５の操作者は、変更キー１３０５を押下してその後に表示される画面（不図示）にて操作部２０４を用いた数値入力を行うことで、用紙情報のうち印刷速度情報を変更することができる。また、印刷装置１０５の操作者は、変更キー１３０６を押下してその後に表示される画面（不図示）にて操作部２０４を用いた数値入力を行うことで、用紙情報のうち転写電圧情報を変更することができる。
【００５６】
なお、以上の変更処理は、ＣＰＵ２０５が、操作部２０４に入力された情報に基づいて、ＨＤＤ２０９に記憶されたＴｙｐｅ２の用紙情報を書き換えることにより実行される。
また、以上の変更処理の結果として操作部２０４には、印刷装置１０５が印刷処理に用いることができる用紙として、Ｔｙｐｅ１とＴｙｐｅ２の用紙情報を含むものが表示される。
【００５７】
＜特殊ページを印刷処理する印刷ジョブの実行指示＞
図１５に、特殊ページの印刷処理の実行を指示する処理について説明する。
【００５８】
図１５は、印刷装置１０５の操作部２０４に表示される画面を示す図である。
【００５９】
印刷装置１０５の操作者は、特殊ページの印刷処理を実行する場合は図１５の画面を操作部２０４に表示させる。ここで、特殊ページとは、印刷装置１０５のハードディスク２０９に予め（例えば、製造時）記憶されている画像データを示すものである。特殊ページに相当する画像データは、コンピュータ端末２３３から受信した印刷ジョブに含まれる画像データとは異なる特殊なものである。
【００６０】
図１５の例では、特殊ページとしてテストページとキャリブレーション計測ページとが示されている。テストページとは、印刷装置１０５が設置されたときに印刷処理が正常に行われるかを確認するために印刷処理される画像データのことをいう。図１５のボタン１５０１が印刷装置１０５の操作者により押されると、ハードディスク２０９からテストページの画像データが読み出されてプリンタ部２０３にて印刷処理が実行される。なお、テストページの画像データに基づいて印刷処理された画像の一例を図１６に示す。また、キャリブレーション計測ページとは、印刷装置１０５の色再現性を確認するために印刷処理される画像データのことをいう。印刷装置１０５は、図３では白黒印刷処理をするものであるとして説明したが、ここではカラー印刷処理が可能であるものとする。カラー印刷処理を行う印刷装置１０５は、装置の設置された環境の変化（温度、湿度等の変化）によって、シート上に印刷処理される画像の色再現性（画質）が変化してしまうという問題点がある。このような問題点を解決するには、装置の設置された環境に適した定着温度にて定着部３２７に定着処理させたり、転写部３２５でトナー像をシートに転写する転写電圧を環境に適した電圧とする必要がある。そこで、印刷装置１０５は、キャリブレーション計測ページをプリンタ部２０３にて印刷処理させて、印刷処理されたシートをスキャナ部２０１にて画像データとして読み取らせる。スキャナ部２０１にて読み取らせた画像データは、ＣＰＵ２０５によって解析され、用紙に印刷処理される画像の色再現性（画質）が環境に適したものとなるよう、プリンタ部２０３に指示がだされる。そして、図１５のボタン１５０２が印刷装置１０５の操作者により押されると、ハードディスク２０９からキャリブレーション計測ページの画像データが読み出されてプリンタ部２０３にて印刷処理が実行される。
【００６１】
＜特殊ページの印刷処理＞
次に、特殊ページの印刷処理について、テストページを印刷処理する例を用いて説明する。
【００６２】
図１７は、印刷装置１０５のＣＰＵ２０５が実行する処理を示すフローチャートである。
【００６３】
ステップＳ１７０１でＣＰＵ２０５は、印刷ジョブが入力されたか否かを判断し、入力されたと判断した場合にステップＳ１７０２に処理を進める。なお、印刷ジョブは、コンピュータ端末２３３から受信する場合もあれば、図１５のボタン１５０１又は１５０２が操作者に押されることにより入力される場合もある。コンピュータ端末２３３から受信する場合、印刷ジョブにはコンピュータ端末２２３で生成された画像データが含まれている。一方、印刷装置１０５の操作部２０４の操作により入力された印刷ジョブには、ハードディスク２０９に記憶された画像データが含まれている。
【００６４】
ステップＳ１７０２で、ＣＰＵ２０５は、印刷ジョブが特殊ページを含むものか否かを判断し、特殊ページを含むと判断した場合はステップＳ１７０３に処理を進め、特殊ページを含むと判断されなかった場合はステップＳ１７０８に処理を進める。ＣＰＵ２０５は、図１５のボタン１５０１又は１５０２が操作者に押されることにより印刷ジョブが入力された場合に、ステップＳ１７０３に処理を進める。
【００６５】
ステップＳ１７０３で、ＣＰＵ２０５は、特殊ページの印刷処理で使用する用紙を積載したカセットを特定する。具体的には、特殊ページの印刷ジョブの種類を図１８のテーブルで判定し、図１９の給紙トレイ情報に基づいて給紙カセットを特定する。例えば、特殊ページがテストページである場合、ＣＰＵ２０５は図１８のテーブルでジョブ種類がテストページ印刷ジョブであると判定する。なお、ＣＰＵ２０５は、テストページ印刷ジョブでは、用紙特性として坪量（単位面積あたりの重量）が６４〜２０９ｇ／ｍ２が用紙特性値である坪量の特性値範囲であると判定する。この特性値範囲にある用紙であればテストページ印刷ジョブにて使用する用紙として適していることを示している。なお、図１８に示す特性値範囲を示す情報（第２の特性値情報）は、ＨＤＤ２０９に記憶されているものとする。そして、ＣＰＵ２０５は、図１９の給紙トレイ情報を参照する。この図１９は図１４で説明したものと同様であるが、各カセットに設定されている用紙特性値情報を合わせて記載した点が異なる。なお、図１９に示す各カセットに積載された用紙の特性値を示す情報（第１の特性値情報）は、図１８のテーブルと同様に、ＨＤＤ２０９に記憶されているものとする。つまり、ＨＤＤ２０９は、特性値範囲情報を記憶するという第１記憶手段としての機能と、特性値情報を記憶するという第２記憶手段としての機能を兼ね備えるものである。ＣＰＵ２０５は、テスト印刷ジョブで使用するのに適している６４〜２０９ｇ／ｍ２の特性値範囲に含まれる用紙が積載されている給紙トレイを特定する。図１９の例では、カセット３１１、３１２、３１３、手差しトレイ３１５を給紙トレイ（カセット）として特定する。なお、ＣＰＵ２０５は、ステップＳ１７０３で１つも給紙カセットを特定できない場合は、ステップＳ１７１２に処理を進める。
【００６６】
ステップＳ１７０４で、ＣＰＵ２０５は、ステップＳ１７０３で特定されたカセットが複数存在するか否かを判定し、複数存在すればステップＳ１７０５へ進み、１つしか存在しなければステップＳ１７０６へ処理を進める。
【００６７】
ステップＳ１７０５で、ＣＰＵ２０５は、ステップＳ１７０３で特定された複数の給紙カセットの中からいずれか１つのカセットを印刷処理で使用するカセットとして選択し、選択したカセットから用紙を給紙する。ステップＳ１７０５におけるカセットの選択は、予め定められた優先順位により行うようにすれば良い。例えば、カセット３１１、３１２、３１３、３１３、３１４、手差し３１５の順に優先順位を定めておくようにすれば良い。ステップＳ１７０６で、ＣＰＵ２０５は、ステップＳ１７０３で特定された１つの給紙カセットから用紙を給紙する。
【００６８】
ステップＳ１７０７で、ＣＰＵ２０５は、ステップＳ１７０１で入力された印刷ジョブに基づいて印刷処理を実行するよう、プリンタ部２０３を制御する。なお、テストページ印刷ジョブについては、図１８で印刷処理された用紙の排紙先が排紙トレイ１０６と指定されている。従って、ＣＰＵ２０５は、テストページが印刷処理された用紙を排紙トレイ１０６へ排紙するよう製本システム２０００の各部を制御する。なお、テストページ印刷ジョブ及びキャリブレーション計測ページ印刷ジョブにおける用紙の排紙先を示す排紙先情報は、ＨＤＤ２０９に記憶されているものとする。つまり、ＨＤＤ２０９は、特性値範囲情報、特性値情報に加え、更に排紙先情報を記憶するという第３記憶手段としての機能も兼ね備える。
【００６９】
一方、ステップＳ１７０２で、印刷ジョブが特殊ページを含まないと判定された場合、ステップＳ１７０８でＣＰＵ２０５は印刷ジョブで指定されたカセットを特定する。特殊ページを含まない通常の印刷ジョブには、印刷装置１０５が備える給紙トレイを特定するための情報が含まれているものとする。例えば、印刷ジョブにカセット３１１を特定する情報が含まれている場合は、カセット３１１を特定する。
【００７０】
ステップＳ１７０９で、ＣＰＵ２０５は、ステップＳ１７０３で特定されたカセットが複数存在するか否かを判定し、複数存在すればステップＳ１７０５へ進み、１つしか存在しなければステップＳ１７０６へ処理を進める。例えば、印刷ジョブに、用紙の表面性が“上質”であることを指定する情報だけが含まれている場合は、図１９に基づいてＣＰＵ２０５がカセット３１１、３１２、３１３及び手差しトレイ３１５を特定する。
【００７１】
ステップＳ１７１０で、ＣＰＵ２０５は、ステップＳ１７０８で特定された複数の給紙カセットの中からいずれか１つのカセットを印刷処理で使用するカセットとして選択し、選択したカセットから用紙を給紙する。ステップＳ１７１０におけるカセットの選択は、予め定められた優先順位により行うようにすれば良い。例えば、カセット３１１、３１２、３１３、３１３、３１４、手差し３１５の順に優先順位を定めておくようにすれば良い。ステップＳ１７１１で、ＣＰＵ２０５は、ステップＳ１７０８で特定された１つの給紙カセットから用紙を給紙する。
【００７２】
なお、ステップＳ１７０３及びステップＳ１７０８でＮＯと判定された場合、ステップＳ１７１２でＣＰＵ２０５は、印刷ジョブが印刷処理するのに適した用紙を給紙トレイに補給するよう操作部２４０の画面に表示を行う。
【００７３】
例えば、テストページを含む印刷ジョブが入力された場合、ステップＳ１７１２でＣＰＵ２０５は、図２０に示すような画面を表示する。
【００７４】
なお、ステップＳ１７０５及びステップＳ１７１０にて優先順位に基づいてカセットを選択する場合、印刷装置１０５の操作部２０４の表示画面を介して、優先順位に基づいて選択したカセットを印刷処理で使用してよいかを確認するようにしても良い。例えば、カセット３１１、３１２、３１３より優先順位の低いカセット３１４がカセットとして特定された場合、図２１に示すような画面を操作部２０４に表示させれば良い。テストページを印刷処理する際に、コート紙を積載するカセット３１４が選択されてしまうことがある。図２１の画面を表示させれば、コート紙は高価な用紙であってもテストページ印刷ジョブで用いるのかどうかを、操作者に確認をさせることができる。ＣＰＵ２０５は、印刷装置１０５の操作者によりボタン２００１が押された場合にカセット３１４の用紙を印刷ジョブで使用することを許可する。一方、ＣＰＵ２０５は、印刷装置１０５の操作者によりボタン２００２が押された場合にカセット３１４の用紙を印刷ジョブで使用することを許可せずに印刷ジョブをキャンセルする。
【００７５】
以上説明したように、本実施形態によれば、特定種類の印刷ジョブ（例えば、テストページの印刷ジョブ）に基づく印刷処理を実行する際に、その印刷処理で使用可能な用紙の特性値の範囲に含まれる特性値の用紙を用いて印刷処理を行うことができる。
【００７６】
＜他の実施形態＞
上記の実施形態においては、特殊ページを含む印刷ジョブに基づく印刷処理を実行する際に使用する用紙を図１７のテーブルを用いて特定した。その際、図１７のテーブルでは用紙の特性値として坪量の範囲を設定しておき、その特性値の範囲内にある用紙を積載する給紙トレイを印刷処理で使用する用紙として特定した。ただし、特性値の範囲内か否かを判定することなく、特殊ページを含む印刷ジョブに適した特性の用紙かどうかを判定しても良い。例えば、特殊ページを含む印刷ジョブに基づく印刷処理を実行する際に使用可能な用紙の特性値の値をいくつか指定しておき、指定された値と一致する用紙が積載される給紙トレイを特定するようにしても良い。その際、指定された値と一致しない場合でも、指定された値から一定の範囲内の特性値であればその範囲内にある用紙を積載する給紙トレイを特定するようにしてもよい。
【００７７】
また、特性値としては坪量でなくても、図１８における定着温度、印刷速度、転写電圧等の他の特性値であっても良い。例えば、定着温度の範囲を１８０℃〜１９０℃という範囲として図１７のテーブルに加えるようにしても良い。
【００７８】
なお、本発明の目的は、前述した実施形態の機能を実現するソフトウェアのプログラムコードを記録した記憶媒体を、システムあるいは装置に供給することによっても達成される。この場合、そのシステムあるいは装置のコンピュータが記憶媒体に格納されたプログラムコードを読み出し実行すること前述した実施形態の機能を実現する。この場合、記憶媒体から読み出されたプログラムコード自体が前述した実施形態の機能を実現することになり、そのプログラムコードを記憶した記憶媒体は本発明を構成することになる。
【図１】
0005528601.tif 000002
【図２】
0005528601.tif 000003
【図３】
0005528601.tif 000004
【図４】
0005528601.tif 000005
【図５】
0005528601.tif 000006
【図６】
0005528601.tif 000007
【図７】
0005528601.tif 000008
【図８】
0005528601.tif 000009
【図９】
0005528601.tif 000010
【図１０】
0005528601.tif 000011
【図１１】
0005528601.tif 000012
【図１２】
0005528601.tif 000013
【図１３】
0005528601.tif 000014
【図１４】
0005528601.tif 000015
【図１５】
0005528601.tif 000016
【図１６】
0005528601.tif 000017
【図１７】
0005528601.tif 000018
【図１８】
0005528601.tif 000019
【図１９】
0005528601.tif 000020
【図２０】
0005528601.tif 000021
【図２１】
0005528601.tif 000022